(57)【要約】      （修正有）【課題】上位システムにおける服用予定の変更を適宜反映して服用データを管理することが可能な調剤支援システムを提供する。【解決手段】調剤支援システム１０は、薬品の処方内容を示す処方データ及び前記薬品の服用予定の修正内容を示す修正データを上位システムから取得する取得処理部１１０と、取得処理部１１０によって取得される処方データに基づいて薬品ごとの服用予定を含む服用データを記憶部１２に記憶する記憶処理部１１１と、記憶部１２に記憶されている服用データにおける薬品ごとの服用予定を取得処理部１１０によって取得される修正データに基づいて更新する更新処理部１１２とを備える。【選択図】図１
2017033107.tif 000002
【特許請求の範囲】
【請求項１】
薬品の処方内容を示す処方データ及び前記薬品の服用予定の修正内容を示す修正データを上位システムから取得する取得処理部と、
前記取得処理部によって取得される前記処方データに基づいて前記薬品ごとの服用予定を含む服用データを記憶部に記憶する記憶処理部と、
前記記憶部に記憶されている前記服用データにおける前記薬品ごとの服用予定を前記取得処理部によって取得される前記修正データに基づいて更新する更新処理部と、
を備える調剤支援システム。
【請求項２】
前記修正内容が、前記薬品の服用時期単位の服用の中止、中断、及び延長の少なくとも一つを含む請求項１に記載の調剤支援システム。
【請求項３】
前記記憶部に記憶されている前記服用データに基づいて前記薬品ごとの服用時期各々における服用の有無を表示可能な表示処理部を更に備える請求項１又は２に記載の調剤支援システム。
【請求項４】
前記表示処理部は、前記薬品ごとに服用日各々における各服用時期の服用有無を表示する第１表示モードと、前記薬品ごとに服用日各々における服用量を表示する第２表示モードとを切り替えて実行可能である請求項３に記載の調剤支援システム。
【請求項５】
前記記憶処理部は、前記処方データに含まれる薬品のデータについて、少なくとも患者名及び薬品名が同じ薬品のデータが前記服用データに存在する場合に、前記薬品のデータ各々を統合する請求項１〜４のいずれかに記載の調剤支援システム。
【請求項６】
前記更新処理部は、前記修正データに含まれる薬品のデータについて、少なくとも患者名及び薬品名が同じ薬品のデータが前記服用データに存在する場合に、前記服用データに前記修正データの内容を反映して前記服用データを更新する請求項１〜５のいずれかに記載の調剤支援システム。
【請求項７】
前記記憶処理部又は前記更新処理部が、前記処方データ又は前記修正データにおいて時刻又は時期の一方で表現される服用時期を他方で表現される服用時期に変換可能である請求項１〜６のいずれかに記載の調剤支援システム。
【請求項８】
前記取得処理部によって取得される前記処方データの適否を前記記憶処理部に記憶されている前記服用データに基づいて判定する処方チェック処理部を更に備える請求項１〜７のいずれかに記載の調剤支援システム。
【請求項９】
薬品の調剤処理を実行可能な一又は複数の調剤機器と、
前記処方チェック処理部により適正と判定された前記処方データに基づいて前記調剤機器に前記調剤処理を実行させる調剤処理部と、
を更に備える請求項１〜８のいずれかに記載の調剤支援システム。
【請求項１０】
前記修正データは、前記上位システムにおいて行われた前記服用予定の修正の対象箇所及び前記対象箇所の修正内容のみが特定可能なデータであり、
前記更新処理部は、前記記憶部に記憶されている前記服用データのうち前記対象箇所のデータのみを更新する請求項１〜９のいずれかに記載の調剤支援システム。
【発明の詳細な説明】
【技術分野】
【０００１】
本発明は、患者の薬品の服用データを管理することが可能な調剤支援システムに関する。
【背景技術】
【０００２】
病院では、薬品の処方内容が電子カルテシステムなどに入力されることにより処方データが発行され、その処方データに基づいて薬品の調剤が行われる。そして、従来から、薬品の調剤業務を支援する調剤支援システムが知られている（例えば、特許文献１参照）。また、この種の調剤支援システムでは、電子カルテシステムなどの上位システムから受信する処方データに基づいて患者各々の薬品の服用予定又は服用履歴などの服用データが管理されることがある。
【先行技術文献】
【特許文献】
【０００３】
【特許文献１】特開２０１５−１４８６５号公報
【発明の概要】
【発明が解決しようとする課題】
【０００４】
ところで、病院では、処方データの発行後に医師の判断によって、患者による薬品の服用予定が変更されることがあり、その変更の内容が電子カルテシステムに入力されることがある。例えば、服用予定の変更には、服用の中止又は中断などが含まれる。しかしながら、従来は電子カルテシステムにおける服用予定の変更が調剤支援システムに伝達されていなかった。そのため、従来の調剤支援システムでは、電子カルテシステムにおける服用予定の変更を適宜反映した服用データの管理が行われていなかった。
【０００５】
本発明の目的は、上位システムにおける服用予定の変更を適宜反映して服用データを管理することが可能な調剤支援システムを提供することにある。
【課題を解決するための手段】
【０００６】
本発明に係る調剤支援システムは、入力される処方データに基づいて薬品各々の服用予定を含む服用データを記憶部に記憶する記憶処理部と、前記記憶部に記憶されている前記服用データにおける前記薬品各々の服用予定を前記服用データの修正に関する修正データの入力に応じて更新する更新処理部とを備える。
【０００７】
本発明によれば、前記処方データ及び前記修正データを出力する電子カルテシステムなどの上位システムに同期して前記服用データが更新されるため、前記調剤支援システムのユーザーによる前記服用データの管理の手間が軽減される。
【０００８】
例えば、前記修正内容は、前記薬品の服用時期単位の服用の中止、中断、及び延長の少なくとも一つを含むことが考えられる。
【０００９】
また、前記調剤支援システムは、前記記憶部に記憶されている前記服用データに基づいて前記薬品ごとの服用時期各々における服用の有無を表示可能な表示処理部を更に備えることが考えられる。
【００１０】
また、前記表示処理部は、前記薬品ごとに服用日各々における各服用時期の服用有無を表示する第１表示モードと、前記薬品ごとに服用日各々における服用量を表示する第２表示モードとを切り替えて実行可能であってよい。
【００１１】
また、前記記憶処理部は、前記処方データに含まれる薬品のデータについて、少なくとも患者名及び薬品名が同じ薬品のデータが前記服用データに存在する場合に、前記薬品のデータ各々を統合することが考えられる。
【００１２】
また、前記更新処理部は、前記修正データに含まれる薬品のデータについて、少なくとも患者名及び薬品名が同じ薬品のデータが前記服用データに存在する場合に、前記服用データに前記修正データの内容を反映して前記服用データを更新することが考えられる。
【００１３】
また、前記記憶処理部又は前記更新処理部が、前記処方データ又は前記修正データにおいて時刻又は時期の一方で表現される服用時期を他方で表現される服用時期に変換可能であることが考えられる。
【００１４】
また、前記調剤支援システムは、前記取得処理部によって取得される前記処方データの適否を前記記憶処理部に記憶されている前記服用データに基づいて判定する処方チェック処理部を更に備えることが考えられる。
【００１５】
具体的に、前記調剤支援システムは、薬品の調剤処理を実行可能な一又は複数の調剤機器と、前記処方チェック処理部により適正と判定された前記処方データに基づいて前記調剤機器に前記調剤処理を実行させる調剤処理部とを更に備える。
【００１６】
また、前記修正データは、前記上位システムにおいて行われた前記服用予定の修正の対象箇所及び前記対象箇所の修正内容のみが特定可能なデータであることが考えられる。そして、前記更新処理部は、前記記憶部に記憶されている前記服用データのうち前記対象箇所のデータのみを更新することが考えられる。
【発明の効果】
【００１７】
本発明によれば、上位システムにおける服用予定の変更を適宜反映して服用データを管理することが可能である。
【図面の簡単な説明】
【００１８】
【図１】図１は、本発明の実施形態に係る調剤支援システムの構成を示すブロック図である。
【図２】図２は、本発明の実施形態に係る調剤支援システムで用いられる処方チェックデータＤ１の一例を示す図。
【図３】図３は、本発明の実施形態に係る調剤支援システムで用いられる服用データＤ２の一例を示す図。
【図４】図４は、本発明の実施形態に係る調剤支援システムで実行される服用データ管理処理の一例を示すフローチャートである。
【図５】図５は、本発明の実施形態に係る調剤支援システムで表示される服用管理画面の一例を示す図である。
【図６】図６は、本発明の実施形態に係る調剤支援システムで表示される服用管理画面の一例を示す図である。
【図７】図７は、本発明の実施形態に係る調剤支援システムで用いられる処方データの一例を示す図である。
【図８】図８は、本発明の実施形態に係る調剤支援システムで用いられる処方データの一例を示す図である。
【図９】図９は、本発明の実施形態に係る調剤支援システムで実行される服用データ更新処理の一例を示すフローチャートである。
【図１０Ａ】図１０Ａは、本発明の実施形態に係る調剤支援システムで用いられる修正データの一例を示す図である。
【図１０Ｂ】図１０Ｂは、本発明の実施形態に係る調剤支援システムにおける服用データの修正結果の一例を示す図である。
【図１１Ａ】図１１Ａは、本発明の実施形態に係る調剤支援システムで用いられる修正データの一例を示す図である。
【図１１Ｂ】図１１Ｂは、本発明の実施形態に係る調剤支援システムにおける服用データの修正結果の一例を示す図である。
【図１２Ａ】図１２Ａは、本発明の実施形態に係る調剤支援システムで用いられる修正データの一例を示す図である。
【図１２Ｂ】図１２Ｂは、本発明の実施形態に係る調剤支援システムにおける服用データの修正結果の一例を示す図である。
【図１３Ａ】図１３Ａは、本発明の実施形態に係る調剤支援システムで用いられる修正データの一例を示す図である。
【図１３Ｂ】図１３Ｂは、本発明の実施形態に係る調剤支援システムにおける服用データの修正結果の一例を示す図である。
【図１４Ａ】図１４Ａは、本発明の実施形態に係る調剤支援システムで用いられる修正データの一例を示す図である。
【図１４Ｂ】図１４Ｂは、本発明の実施形態に係る調剤支援システムにおける服用データの修正結果の一例を示す図である。
【図１５Ａ】図１５Ａは、本発明の実施形態に係る調剤支援システムで用いられる修正データの一例を示す図である。
【図１５Ｂ】図１５Ｂは、本発明の実施形態に係る調剤支援システムにおける服用データの修正結果の一例を示す図である。
【図１６Ａ】図１６Ａは、本発明の実施形態に係る調剤支援システムで用いられる修正データの一例を示す図である。
【図１６Ｂ】図１６Ｂは、本発明の実施形態に係る調剤支援システムにおける服用データの修正結果の一例を示す図である。
【図１７Ａ】図１７Ａは、本発明の実施形態に係る調剤支援システムにおける服用データの更新結果の一例を示す図である。
【図１７Ｂ】図１７Ｂは、本発明の実施形態に係る調剤支援システムにおける服用データの更新結果の一例を示す図である。
【図１８Ａ】図１８Ａは、本発明の実施形態に係る調剤支援システムにおける服用データの更新結果の一例を示す図である。
【図１８Ｂ】図１８Ｂは、本発明の実施形態に係る調剤支援システムにおける服用データの更新結果の一例を示す図である。
【発明を実施するための形態】
【００１９】
以下添付図面を参照しながら、本発明の実施形態について説明し、本発明の理解に供する。なお、以下の実施形態は、本発明を具体化した一例であって、本発明の技術的範囲を限定する性格のものではない。
【００２０】
［調剤支援システム１０］
本発明の実施形態に係る調剤支援システム１０は、例えば病院又は調剤薬局などの医療機関で使用される。前記調剤支援システム１０を操作するユーザーは、例えば医師、看護師、又は薬剤師などの医療従事者である。
【００２１】
図１に示されるように、前記調剤支援システム１０は、サーバー１、クライアント端末２、調剤機器３、及びプリンター４を備える。なお、前記サーバー１単体を本発明に係る調剤支援システムとして捉えてもよい。前記サーバー１、前記クライアント端末２、前記調剤機器３、及び前記プリンター４は、通信網５を介して無線又は有線で通信可能に接続される。なお、前記調剤支援システム１０に含まれる前記クライアント端末２、前記調剤機器３、及び前記プリンター４各々は複数であってもよい。前記通信網５は、ＬＡＮ、ＷＡＮ、インターネット、又はイントラネットなどである。
【００２２】
また、前記サーバー１には、電子カルテシステム又はオーダーリングシステムなどの上位システム６が前記通信網５を介して接続される。前記上位システム６では、医師などのユーザー操作に応じて患者ごとの処方内容を示す処方データが発行される。さらに、前記上位システム６では、医師などのユーザー操作に応じて前記処方データに対応する薬品各々の服用予定について修正が行われた場合に、その修正内容を示す修正データが発行される。なお、前記修正内容には、前記薬品の服用時期単位の服用の中止、中断、及び延長の少なくとも一つが含まれる。
【００２３】
そして、前記上位システム６は、前記処方データ又は前記修正データが発行されると、前記処方データ及び前記修正データを前記調剤支援システム１０に入力する。具体的に、前記上位システム６は、前記通信網５を介して前記処方データ及び前記修正データを前記サーバー１に送信する。また、前記上位システム６が、前記処方データ又は前記修正データを記憶する記憶部６１を備えており、前記サーバー１が前記記憶部６１にアクセスして前記処方データ又は前記修正データを能動的に取得してもよい。
【００２４】
なお、前記処方データには、例えば処方区分、患者名、診療科、薬品名、用量、用法、服用開始日、服用終了日などの情報が含まれる。また、前記修正データには、例えば処方区分、患者名、診療科、薬品名、用量、用法、修正内容などの情報が含まれる。例えば、前記処方データ及び前記修正データにおいて各項目の内容は予め設定されたコードで示されており、前記サーバー１では前記コードに基づいて前記処方データ及び前記修正データの各項目の内容を認識可能である。
【００２５】
また、前記上位システム６では、前記処方データに対応する薬品各々の服用予定の他に、前記処方データを修正するための操作が行われることがある。例えば、前記処方データの修正は、薬品の変更、用量の変更、又は用法の変更などである。この場合、前記上位システム６は、前記処方データの修正後の内容に対応する修正処方データを発行して前記記憶部６１に記憶すると共に前記調剤支援システム１０に入力する。これにより、前記調剤支援システム１０では、前記サーバー１により前記修正処方データに基づいて前記調剤機器３を用いた調剤処理などが実行されることが考えられる。即ち、本実施形態で説明する前記修正データは、前記処方データ自体の内容が変更されるのではなく、前記処方データに基づく服用の予定が中断又は中止されるような場合に発行されるデータであり、前記修正処方データとは異なる。そして、後述するように、前記調剤支援システム１０では、前記処方データが取得された場合に前記処方データに基づいて服用データが生成され、その後に前記修正データが取得された場合に前記服用データが修正される。
【００２６】
［調剤機器３］
前記調剤機器３各々は、薬品の自動調剤又は薬剤師による薬品の調剤作業の支援のような薬品の調剤処理を実行可能な機器である。例えば、前記調剤機器３各々は、錠剤分包機、散薬分包機、水剤分注機、ＰＴＰシート払出装置、混注装置、又はピッキング補助装置などである。例えば、前記錠剤分包機は、複数種類の錠剤が収容された複数の薬品カセットを有し、前記サーバー１から入力される調剤用データに従って、前記薬品カセットから錠剤を払い出して１服用分ごとに分包紙で包装する分包動作を実行する。前記散薬分包機は、前記サーバー１から入力される調剤用データに従って、投入された散薬を１服用分ごとに分包紙で包装する分包動作を実行する。前記ピッキング補助装置は、前記処方データとピッキングされた薬品の前記薬品情報とを照合して薬剤師による薬品の調剤作業を支援する。
【００２７】
［プリンター４］
前記プリンター４は、前記サーバー１又は前記クライアント端末２などから入力される印刷データに含まれる情報を紙などのシートに印刷する。例えば、前記プリンター４は、前記調剤支援システム１０において、処方箋、薬情、手帳、又は薬袋などの印刷に用いられる。また、前記調剤支援システム１０では、前記プリンター４を用いて前記処方データ、前記修正データ、又は後述の服用データなども印刷可能である。
【００２８】
［クライアント端末２］
前記クライアント端末２は、制御部２１、記憶部２２、通信Ｉ／Ｆ２３、表示装置２４、操作装置２５、及びドライブ装置２６などを備えるコンピュータである。前記クライアント端末２は、薬剤師が前記処方データに基づく調剤を実施する調剤室又は、薬剤師が薬剤の服薬に関する指導又は確認を実施する病棟などに設けられる操作端末である。具体的に、前記調剤支援システム１０では、前記サーバー１と前記クライアント端末２とによりサーバクライアントシステムが構成されており、前記サーバー１が前記クライアント端末２のユーザー操作に応じて各種の処理を実行する。なお、前記クライアント端末２は、スマートフォン又はタブレット端末などのモバイル端末であってもよい。
【００２９】
前記制御部２１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００３０】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網５を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Ｕｎｉｖｅｒｓａｌ  Ｒｅｓｏｕｒｃｅ  Ｌｏｃａｔｏｒ）などのアドレス情報が入力された場合に、該アドレス情報に基づいて前記サーバー１にアクセスする。
【００３１】
前記通信Ｉ／Ｆ２３は、前記通信網５を介して前記サーバー１、前記調剤機器３、及び前記プリンター４などの外部機器との間で、予め定められた通信プロトコルに従って無線又は有線でデータ通信を実行する通信インターフェースである。
【００３２】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００３３】
前記ドライブ装置２６は、前記ＯＳ又は前記ブラウザソフトなどのアプリケーションプログラムが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。
【００３４】
［サーバー１］
前記サーバー１は、制御部１１、記憶部１２、通信Ｉ／Ｆ１３、表示装置１４、操作装置１５、及びドライブ装置１６などを備えるコンピュータである。前記サーバー１は、前記調剤支援システム１０が使用される前記医療機関の内部又は外部に設けられる。
【００３５】
前記通信Ｉ／Ｆ１３は、前記通信網５を介して前記クライアント端末２、前記調剤機器３、前記プリンター４、及び前記上位システム６などの外部機器との間で、所定の通信プロトコルに従って無線又は有線でデータ通信を実行するインターフェースである。
【００３６】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。
【００３７】
また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３８】
前記ドライブ装置１６は、コンピュータ読み取り可能な記録媒体１６１から各種の制御プログラム又は各種の情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記制御プログラムが前記記憶部１２に記憶される。
【００３９】
前記記憶部１２は、前記制御部１１によって実行される各種の制御プログラム及び各種のデータが記憶されるハードディスク又はＳＳＤ等の不揮発性の記憶部である。具体的に、前記記憶部１２には、プログラム記憶部１２１、マスター記憶部１２２、及びデータ記憶部１２３が含まれる。
【００４０】
前記プログラム記憶部１２１は、前記制御部１１に後述の服用データ管理処理（図４参照）及び服用データ更新処理（図９参照）などの各種の処理を実行させるための前記制御プログラムが記憶される記憶領域である。なお、前記プログラム記憶部１２１には、オペレーティングシステム（ＯＳ）及びブラウザソフトなどのアプリケーションプログラムも記憶される。
【００４１】
前記マスター記憶部１２２は、薬品マスター及び患者マスターなどの各種マスター情報が記憶される記憶領域である。前記薬品マスターでは、薬品ごとに、薬品コード、薬品名称、薬品分類（分類コード）、薬品成分（成分コード）、ＪＡＮコード、ＲＳＳコード、薬瓶コード、剤形、単位、比重、薬品種、配合変化、賦形薬品、注意事項などが対応付けて登録されている。また、前記患者マスターでは、患者ごとに、患者コード、患者名、年齢、性別、妊娠有無、飲酒有無、喫煙有無、病名、アレルギー情報などが対応付けて記憶されている。
【００４２】
また、前記データ記憶部１２３は、処方チェックデータＤ１、前記処方データ、前記修正データ、及び後述の服用データなどが記憶される記憶領域である。ここに、図２は、前記処方チェックデータＤ１の一例を示す図である。図２に示されるように、前記処方チェックデータＤ１には、前記処方データについて調剤前に確認されるべき一又は複数のチェック項目が記憶されている。例えば、図２に示される前記処方チェックデータＤ１には、「相互作用チェック」及び「投与量チェック」などを含む２０種類のチェック項目が含まれる。また、前記処方チェックデータＤ１には、前記処方データに含まれる薬品各々について前記チェック項目各々の内容が適正であるか否かを判定するために前記チェック項目ごとに予め定められた判定条件が含まれる。例えば、前記処方チェックデータＤ１では、「相互作用チェック」について、患者が服用する薬品の組み合わせに関する問題の有無を判断するための情報が定められている。また、前記処方チェックデータＤ１では、「投与量チェック」について、患者が１回又は１日に服用する薬品量が上限量未満であるか否かを判断するための情報として、前記薬品ごとに予め定められた１回上限量又は１日上限量などが記憶されている。
【００４３】
前記処方データ、前記修正データ、及び前記服用データは、患者ごとに対応付けて前記データ記憶部１２３において記憶される。前記服用データには、患者による薬品各々の服用予定が含まれている。具体的に、前記服用データでは、薬品ごとに服用日各々における各服用時期の服用量が前記服用予定として記憶されている。前記服用データは、前記上位システム６から入力される前記処方データに基づいて生成され、前記上位システム６から入力される前記修正データに基づいて更新される。なお、前記服用データは、患者ごとの薬品の服用履歴としても用いられるデータである。
【００４４】
ここに、図３は、前記服用データの一例である服用データＤ２を示す図である。図３に示されている前記服用データＤ２では、薬品名「アーチスト錠２０ｍｇ」について「７月２３日の昼」から「７月２７日の朝」までの各服用時期（朝食後、昼食後、夕食後）について服用量が１錠である旨が記憶されている。また、薬品名「アイトロール錠２０ｍｇ」については「７月２３日の指定１」から「７月２６日の指定３」までの各服用時期（指定１、指定２、指定３）について服用量が１錠である旨が記憶されている。なお、前記指定１〜前記指定３は、医師によって予め指定される任意のタイミングである。さらに、薬品名「アクトス錠３０」については「７月２３日の昼」から「７月２８日の朝」までの間における水曜日（７／２３）・金曜日（７／２５）・月曜日（７／２８）の各服用時期（朝食後、昼食後、夕食後）について服用量が１錠である旨が記憶されている。
【００４５】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。また、前記制御部１１は、時間を計時するシステムクロックを備えており、前記システムクロックから現在日時を取得することができる。
【００４６】
そして、前記制御部１１は、前記ＣＰＵを用いて、前記ＲＯＭ、前記ＥＥＰＲＯＭ、又は前記記憶部１２に記憶されている前記制御プログラムに従って各種の処理を実行することにより複数の処理部として機能する。具体的に、前記制御部１１は、取得処理部１１０、記憶処理部１１１、更新処理部１１２、表示処理部１１３、処方チェック処理部１１４、及び調剤処理部１１５などを含む。なお、前記制御部１１によって具現される処理部のいずれか一つ又は複数が電子回路として前記制御部１１に設けられていてもよい。
【００４７】
前記取得処理部１１０は、前記上位システム６から前記処方データ及び前記修正データを取得し、前記処方データ及び前記修正データを患者に対応付けて前記データ記憶部１２３に記憶するための処理を実行する。具体的に、前記取得処理部１１０は、前記上位システム６で前記処方データが発行された場合に前記上位システム６から前記サーバー１に送信される前記処方データを受信することにより前記処方データを取得する。また、前記取得処理部１１０は、前記上位システム６で前記修正データが発行された場合に前記上位システム６から前記サーバー１に送信される前記修正データを受信することにより前記修正データを取得する。なお、前記取得処理部１１０は、予め設定されたタイミングで前記上位システム６の前記記憶部６１から前記処方データ及び前記修正データを読み出してもよい。さらに、前記記憶処理部１１１は、前記記憶部６１に新たに前記処方データ又は前記修正データが記憶されたか否かを監視し、前記記憶部６１に新たに前記処方データ又は前記修正データが記憶された場合に前記処方データ又は前記修正データを取得してもよい。
【００４８】
前記記憶処理部１１１は、前記取得処理部１１０によって前記処方データが取得された場合に、前記処方データに基づいて前記薬品ごとの服用予定を含む前記服用データを生成し、前記服用データを前記データ記憶部１２３に記憶する。なお、前記データ記憶部１２３において、前記服用データは前記処方データと同様に患者に対応付けて記憶される。
【００４９】
前記更新処理部１１２は、前記取得処理部１１０によって前記修正データが取得された場合に、前記データ記憶部１２３に記憶されている前記服用データにおける前記薬品ごとの服用予定を前記修正データに基づいて更新する。また、前記更新処理部１１２は、前記サーバー１の操作装置１５又は前記クライアント端末２の操作装置２５を用いて行われるユーザーによる修正操作に応じて、前記データ記憶部１２３に記憶されている前記服用データにおける前記薬品ごとの服用予定を更新することも可能である。例えば、前記修正操作には、前記服用データにおける前記薬品ごとの服用予定の中止、中断、又は延長などの他、任意のコメントを記録する操作も含まれる。このように、前記調剤支援システム１０では、前記上位システム６における前記服用予定の修正操作とは別に、前記服用データを任意に修正することが可能であり、前記調剤支援システム１０における運用の柔軟性が高まる。
【００５０】
なお、仮に前記修正データが前記上位システム６における修正後の前記処方データ全体に相当するものである場合には、前記修正データの取得時に前記データ記憶部１２３に記憶されている前記服用データが全て更新されることも考えられる。これに対し、本実施形態における前記修正データは、前記上位システム６で行われた前記服用予定の修正の対象箇所及び前記対象箇所の修正内容のみが特定可能なデータである。例えば、前記修正データには、前記対象箇所の修正内容の他に、処方区分、患者名、診療科、薬品名、用量、又は用法などの情報が前記修正データに対応する前記対象箇所を特定するためのデータとして含まれる。そして、前記更新処理部１１２は、前記データ記憶部１２３に記憶されている前記服用データのうち前記対象箇所のデータのみを更新する部分更新処理を実行する。従って、ユーザーによる前記修正操作に応じて前記服用データが修正された後に、前記上位システム６から前記修正データが取得された場合であっても、ユーザーによる前記修正操作に応じた修正内容が消去されずに残ることになる。即ち、前記調剤支援システム１では、前記データ記憶部１２３に記憶される前記服用データを前記上位システム６における修正操作に同期させつつ、前記調剤システム１における任意の修正操作を前記服用データに反映させることが可能である。なお、前記修正操作に応じた修正内容と前記修正データにおける修正内容とが同一箇所に関する内容である場合には、予め設定されたいずれか一方のデータが優先されることが考えられる。
【００５１】
前記表示処理部１１３は、前記データ記憶部１２３に記憶されている前記服用データに基づいて前記薬品ごとの服用時期各々における服用の有無を表示するための処理を実行する。特に、前記表示処理部１１３は、前記薬品ごとに服用日各々における各服用時期の服用有無を表示する第１表示モード（図５参照）と、前記薬品ごとに服用日各々における服用量を表示する第２表示モード（図６参照）とを切り替えて実行可能である。なお、前記表示処理部１１３は、前記第１表示モードのみが実行可能であってもよい。
【００５２】
前記処方チェック処理部１１４は、前記取得処理部によって取得される前記処方データの適否を判定する処方チェック（処方鑑査）を実行する。具体的に、前記処方チェック処理部１１４は、前記処方データと前記服用データと前記処方チェックデータＤ１とに基づいて前記処方データの適否を判定することが可能である。従って、前記更新処理部１１２によって前記服用データが更新された場合には、その更新後の前記服用データに基づいて前記処方データの適否が判定されることになる。なお、前記処方チェックは、例えば前記サーバー１が前記上位システム６から前記処方データを取得した際、前記処方データについて調剤が開始される際、又はユーザー操作による処方チェック要求時などに実行される。そして、前記処方チェック処理部１１４は、前記処方チェックのチェック結果を前記処方データに対応付けて前記記憶部１２に記録する。これにより、前記調剤支援システム１０では、前記処方データに対応する前記処方チェックのチェック結果を後で参照することが可能である。
【００５３】
前記調剤処理部１１５は、前記処方チェック処理部１１４により適正と判定された前記処方データに基づいて前記調剤機器３に前記調剤処理を実行させるための処理を実行する。具体的に、前記調剤処理部１１５は、前記処方データに基づく薬品の調剤処理を前記調剤機器３各々に実行させるための調剤用データを生成し、前記調剤機器３各々に入力する。これにより、前記調剤機器３各々では、前記調剤用データに基づいて薬品の調剤処理が実行される。なお、前記調剤機器３各々が、前記サーバー１で生成されて前記記憶部１２に記憶される前記調剤データを能動的に読み出して調剤処理を実行してもよい。
【００５４】
ところで、病院では、前記処方データの発行後に医師の判断によって、患者による薬品の服用予定が変更されることがあり、その変更の内容が前記上位システム６に入力されることがある。しかしながら、従来は前記上位システム６における服用予定の変更が調剤支援システムに伝達されていなかった。そのため、従来の調剤支援システムでは、前記上位システム６における服用予定の変更を適宜反映した前記服用データの管理が行われていなかった。これに対し、本実施形態に係る前記調剤支援システム１０では、前記上位システム６における服用予定の変更を適宜反映して前記服用データを管理することが可能である。
【００５５】
［服用データ管理処理］
次に、図４を参照しつつ、前記制御部１１によって実行される服用データ管理処理について説明する。なお、以下で説明するユーザー操作は、前記サーバー１の操作装置１５又は前記クライアント装置２の操作装置２５を用いて行われる。また、以下で説明する各種画面の表示は、前記サーバー１の表示装置２４又は前記クライアント装置２の表示装置２４によって行われる。
【００５６】
＜ステップＳ１１＞
ステップＳ１１において、前記制御部１１は、前記服用データを表示するための所定のユーザー操作が行われたか否かを判断する。例えば、前記ユーザー操作は、患者の薬歴を参照するための薬歴画面を表示するための操作である。なお、前記所定のユーザー操作は、前記サーバー１の操作装置１４又は前記クライアント装置２の操作装置２４を用いて行われる。ここで、前記所定のユーザー操作が行われた場合は（Ｓ１１：Ｙｅｓ）、処理をステップＳ１２に移行し、前記所定のユーザー操作が行われていない場合は（Ｓ１１：Ｎｏ）、処理をステップＳ１３に移行させる。
【００５７】
＜ステップＳ１２＞
ステップＳ１２において、前記制御部１１は、前記服用データが表示される服用管理画面Ｄ１１を表示させる。具体的に、前記制御部１１は、前記ユーザー操作によって選択される患者の前記服用データを前記データ記憶部１２３から読み出し、その読み出された前記服用データを予め設定された前記服用管理画面Ｄ１１のレイアウトに従って表示させる。なお、前記服用管理画面Ｄ１１は、前記サーバー１の表示装置１５又は前記クライアント装置２の表示装置２５に表示される。
【００５８】
ここに、図５及び図６は、前記服用管理画面Ｄ１１の一例を示す図である。より具体的に、図５に示す前記服用管理画面Ｄ１１は前記第１表示モードに対応する画面であり、図６に示す前記服用管理画面Ｄ１１は前記第２表示モードに対応する画面である。前記調剤支援システム１０の前記サーバー１では、予め初期設定などにより前記第１表示モード又は前記第２表示モードが初期管理画面として選択される。そして、前記制御部１１は、前記ステップＳ１２において、前記初期管理画面として選択されている前記第１表示モード又は前記第２表示モードで前記服用管理画面Ｄ１１を表示させる。
【００５９】
図５及び図６に示されるように、前記服用管理画面Ｄ１１各々には、患者を識別するための患者ＩＤ及び患者名などの患者情報と共に、その患者に対応する前記服用データが表示される第１表示領域Ａ１１又は第２表示領域Ａ１２が表示されている。具体的に、前記第１表示モードに対応する前記服用管理画面Ｄ１１では、前記第１表示領域Ａ１１に、前記薬品ごとに服用日各々における各服用時期の服用有無が前記服用データに基づいて表示される。また、前記第２表示モードに対応する前記服用管理画面Ｄ１２では、前記第２表示領域Ａ１２に、前記薬品ごとに服用日各々における服用量が前記服用データに基づいて表示される。
【００６０】
また、前記服用管理画面Ｄ１１には、前記服用管理画面Ｄ１１の表示中に前記第１表示モード及び前記第２表示モードを切り替えるための表示切替キーＫ１１が表示されている。そして、前記制御部１１は、前記表示切替キーＫ１１の操作に応じて、前記第１表示モード及び前記第２表示モードを切り替えて実行することが可能であり、前記服用管理画面Ｄ１１において前記第１表示領域Ａ１１及び前記第２表示領域Ａ１２を切り替えて表示させる。
【００６１】
ここに、図７には、前記処方データの一例として処方データＤ２１が示されており、図５及び図６では、前記処方データＤ２１に基づいて生成された服用データＤ２が表示されている。前記処方データＤ２１では、処方区分が「定期処方」であり、薬品名「アーチスト錠２０ｍｇ」、「アイトロール錠２０ｍｇ」、「アクトス錠３０」が処方薬品として含まれている。また、前記処方データＤ２１では、処方薬品各々に対応する用法及び用量が示されている。
【００６２】
具体的に、薬品名「アーチスト錠２０ｍｇ」については、朝食後・昼食後・夕食後の１日３回各１錠ずつの合計３錠が２０１４年７月２３日（水）から４日分処方されている。また、薬品名「アイトロール錠２０ｍｇ」については、医師の指示通りで１日３回各１錠ずつの合計３錠が２０１４年７月２３日（水）から４日分処方されている。さらに、薬品名「アクトス錠３０」については、朝食後・昼食後・夕食後の１日３回各１錠ずつの合計３錠が２０１４年７月２３日（水）から月・水・金曜日服用で２日分処方されている。なお、図７では省略されているが、前記処方データＤ２１には各項目の内容を示すコードが含まれており、前記制御部１１は前記処方データの各項目の内容を前記コードに基づいて認識する。
【００６３】
このように、前記服用管理画面Ｄ１１に前記第１表示領域Ａ１１（図５参照）が表示されることにより、ユーザーは前記第１表示領域Ａ１１を参照し、例えば７月２３日の昼食後から７月２７日の朝食後までの各服用時期について薬品各々の服用予定の有無を容易に確認することが可能である。また、前記服用管理画面Ｄ１１に前記第２表示領域Ａ１２（図６参照）が表示されることにより、ユーザーは前記第２表示領域Ａ１２を参照し、例えば７月２３日から７月２７日までの各服用日について薬品各々の服用量を容易に確認することが可能である。即ち、ユーザーは、服用時期各々の薬品の服用有無を確認する際には前記第１表示領域Ａ１１を参照し、服用日各々の薬品の服用量を確認する際には前記第２表示領域Ａ１２を参照することが可能である。
【００６４】
＜ステップＳ１３＞
ステップＳ１３において、前記制御部１１は、前記処方データを受信したか否かを判断する。具体的に、前記制御部１１は、前記取得処理部１１０によって取得されたデータの処方区分が、「定期処方」、「外来」、「臨時」などの予め定められた新規処方に対応する区分であるデータを受信した場合に前記処方データを受信したと判断する。なお、前記修正データでは、前記処方区分が、「服用中止」、「服用中断」、「服用変更」などの修正処方に対応する区分となる。ここで、前記制御部１１は、前記処方データを受信したと判断すると（Ｓ１３：Ｙｅｓ）、処理をステップＳ１３１に移行させ、前記処方データを受信していないと判断すると（Ｓ１３：Ｎｏ）、処理をステップＳ１４に移行させる。
【００６５】
＜ステップＳ１３１＞
ステップＳ１３１において、前記制御部１１は、前記ステップＳ１３で受信したと判断された前記処方データに基づいて前記服用データを生成し、前記服用データを前記データ記憶部１２３に記憶させるための処理を実行する。なお、係る処理は、前記制御部１１の記憶処理部１１１によって実行される。
【００６６】
具体的に、前記制御部１１は、前記処方データに含まれる薬品のデータについて、患者名及び薬品名が同じデータが前記データ記憶部１２３に既に記憶されている前記服用データに存在する場合は前記データ各々を統合する。例えば、前記処方データＤ２１が前記調剤支援システム１０に入力された後、図８に示されている処方データＤ２２が入力された場合を考える。この場合、前記処方データＤ２１における薬品名「アーチスト錠２０ｍｇ」のデータが前記服用データとして既に前記データ記憶部１２３に記憶されていることになるため、後で入力された前記処方データＤ２２における薬品名「アーチスト錠２０ｍｇ」のデータは、前記服用データに統合される。具体的に、前記服用データでは、薬品名「アーチスト錠２０ｍｇ」のデータが１日３回朝・昼・夕食後に２錠の服用予定に更新される。
【００６７】
一方、前記制御部１１は、前記処方データに含まれる薬品のデータについて、患者名及び薬品名が同じデータが前記データ記憶部１２３に既に記憶されている前記服用データに存在しない場合には、当該データを新たに前記データ記憶部１２３の前記服用データに追加する。なお、前記制御部１１が、前記統合の有無を判断する際に、患者名及び薬品名に加えて、診療科、用法、及び用量のいずれか一つ又は複数の一致を判断するか否かをユーザー操作に応じて予め設定可能であることも考えられる。
【００６８】
なお、前記処方データＤ２１において薬品名「アイトロール錠２０ｍｇ」の薬品の用法は、「医師の指示通り」であり、２０１４年７月２３日（水）の昼以降における服用回数が不明である。そのため、前記制御部１１は、前記処方データＤ２１が入力された場合には、前記ステップＳ１３１において、前記処方データＤ２１に基づいて、薬品名「アイトロール錠２０ｍｇ」については、図３に示されているように、２０１４年７月２３日（水）の指示１から２０１４年７月２６日の指示３までの４日分のデータを前記服用データとして登録する。
【００６９】
ところで、前記調剤支援システム１０では、薬品を服用する服用タイミングを示す服用時期が、朝食後・昼食後・夕食後のような時期で管理される。一方、前記上位システム６によっては、前記処方データにおいて服用時期が時刻で示される場合がある。そのため、前記制御部１１は、前記処方データにおいて時刻で表現される服用時期を時期で表現される服用時期に変換することが考えられる。例えば、時刻と時期との対応関係が予め設定されており、前記処方データにおいて服用時期が８時、１２時、１８時のように時刻で表示されている場合に、それらの時刻で表現される服用時期が朝食後、昼食後、夕食後の各時期で表現される服用時期に変換される。また、前記調剤支援システム１０が前記服用時期を時刻で管理する場合であって、前記処方データにおいて服用時期が時期で示される場合には、前記制御部１１が、前記処方データにおいて時期で表現される服用時期を時刻で表現される服用時期に変換することが考えられる。なお、この点は、前記処方データに限らず前記修正データについても同様である。
【００７０】
＜ステップＳ１４＞
ステップＳ１４において、前記制御部１１は、前記修正データを受信したか否かを判断する。具体的に、前記制御部１１は、前記取得処理部１１０によって取得されたデータの処方区分が、「服用中止」、「服用中断」、「削除」などの予め定められた修正処方に対応する区分であるデータを受信した場合に前記修正データを受信したと判断する。ここで、前記制御部１１は、前記修正データを受信したと判断すると（Ｓ１４：Ｙｅｓ）、処理をステップＳ１５に移行させ、前記修正データを受信していないと判断すると（Ｓ１４：Ｎｏ）、処理を前記ステップＳ１１に戻す。
【００７１】
＜ステップＳ１５＞
ステップＳ１５において、前記制御部１１は、前記データ記憶部１２３に記憶されている前記服用データを前記修正データに基づいて更新する服用データ更新処理を実行する。
【００７２】
［服用データ更新処理］
ここで、図９を参照しつつ、前記制御部１１によって実行される前記服用データ更新処理の一例について説明する。なお、係る処理は、前記制御部１１の更新処理部１１２によって実行される。以下では、前記服用データＤ２（図３参照）が前記データ記憶部１２３に記憶されており、前記修正データに基づいて前記服用データＤ２が更新される場合を例に挙げつつ説明する。
【００７３】
＜ステップＳ２１＞
ステップＳ２１において、前記制御部１１は、前記修正データに示されている修正内容が服用の中止であるか否かが判断される。ここで、前記制御部１１は、前記修正内容が服用の中止であると判断すると（Ｓ２１：Ｙｅｓ）、処理をステップＳ２１１に移行させ、前記修正内容が服用の中止でないと判断すると（Ｓ２１：Ｎｏ）、処理を前記ステップＳ２２に移行させる。
【００７４】
具体的に、前記制御部１１は、前記修正データの前記処方区分が「服用中止」である場合に前記修正内容が服用の中止であると判断する。ここに、図１０Ａは、前記修正データの一例である修正データＤ３１を示す図である。前記修正データＤ３１では、前記処方区分が「服用中止」であり、前記修正データＤ３１による修正対象となる薬品を特定するための情報として、薬品名が「アーチスト錠２０ｍｇ」であり、用法及び用量が「朝・昼・夕食後の１日３回各１錠ずつの合計３錠が２０１４年７月２３日（水）から４日分」であることが示されている。なお、図１０Ａでは省略されているが、前記修正データＤ３１には、前記薬品が処方されたときの診療科などの情報も含まれている。そして、前記修正データＤ３１では、薬品名「アーチスト錠２０ｍｇ」の服用を「２０１４年７月２５日（金）の昼」から中止する旨の情報が含まれている。
【００７５】
＜ステップＳ２１１＞
ステップＳ２１１において、前記制御部１１は、前記服用データに含まれる薬品の服用予定のうち前記修正データで指定される服用時期の服用を中止に変更するための処理を実行する。
【００７６】
ここで、前記制御部１１は、前記修正データに含まれる薬品について、患者名及び薬品名が同じデータが前記服用データに存在しない場合には、予め設定されたエラー報知処理などを実行し、当該服用データ更新処理を終了させる。一方、前記制御部１１は、前記修正データに含まれる薬品のデータについて、患者名及び薬品名が同じデータが前記服用データに存在する場合には、前記服用データに前記修正データの内容を反映して前記服用データを更新する。なお、前記制御部１１が、前記更新の有無を判断する際に診療科、用法、及び用量のいずれか一つ又は複数の一致を判断するか否かをユーザー操作に応じて予め設定可能であることも考えられる。また、前記更新の有無の判定は、後述のステップＳ２３又はＳ２２１における他の更新処理の実行時にも同様に行われる。
【００７７】
ここに、図１０Ｂは、前記修正データＤ３１（図１０Ａ参照）が入力された場合の前記服用データＤ２の更新結果として、前記服用管理画面Ｄ１１の前記第１表示領域Ａ１１の表示例を示す図である。前記修正データＤ３１が入力された場合、前記ステップＳ２１１において、前記制御部１１は、前記修正データＤ３１に基づいて、前記服用データＤ２のうち薬品名「アーチスト錠２０ｍｇ」について、２０１４年７月２５日（金）の昼から服用を中止する旨の情報を登録する。
【００７８】
より具体的に、前記制御部１１は、前記服用データＤ２（図３参照）のうち薬品名「アーチスト錠２０ｍｇ」の７月２５日の昼から７月２７日の朝までの服用量を「１」から「０」に変更する。なお、本実施形態では、前記服用データにおいて服用ありが「１」で示されており、服用なしが「０」及び「空白」で示される。そのため、前記服用データでは、服用時期のうち「０」となっている服用時期は、服用の中止又は中断によって服用なしになったことが識別可能である。また、服用なしの服用時期が全て「０」又は「空白」であってもよい。
【００７９】
これにより、前記修正データＤ３１が入力された後、前記服用管理画面Ｄ１１の前記第１表示領域Ａ１１に前記服用データＤ２が表示される場合には、図１０Ｂに示されるように、薬品名「アーチスト錠２０ｍｇ」の７月２５日の昼に「中止」と表示され、その後の７月２７日の朝までは服用がない旨が空白によって表示される。
【００８０】
また、前記制御部１１は、前記服用データが前記修正データによって更新された場合には、その更新箇所又は更新内容を前記服用管理画面Ｄ１１において表示可能である。具体的に、前記修正データＤ３１で指示された中止開始時期である７月２５日の昼の表示欄は、例えば背景色が予め設定された黄色などの特定色で他の表示欄とは識別可能な態様で表示される。そして、前記制御部１１は、前記特定色で表示された前記表示欄にカーソルが位置する場合、前記表示欄に対応する前記修正データＤ３１の内容をポップアップ画面などによって表示させる。なお、前記修正データＤ３１で指示された中止開始時期である７月２５日の昼の表示欄に限らず、前記修正データＤ３１によって更新された全ての表示欄が前記特定色などによって識別可能な態様で表示されてもよい。
【００８１】
また、図１１Ａは、前記修正データＤ３１とは異なる前記修正データの他の例である修正データＤ３２を示す図である。また、図１１Ｂは、前記修正データＤ３２が入力された場合の前記服用データＤ２の更新結果として、前記服用管理画面Ｄ１１の前記第１表示領域Ａ１１の表示例を示す図である。図１１Ａに示されているように、前記修正データＤ３２では、前記処方区分が「服用中止」であり、薬品名「アイトロール錠２０ｍｇ」の薬品の服用を「２０１４年７月２５日（金）の昼」から中止する旨の情報が含まれている。但し、前記薬品の用法は、「医師の指示通り」であり、２０１４年７月２５日（金）の昼以降における服用回数が不明である。そのため、前記制御部１１は、前記修正データＤ３２が入力された場合には、前記ステップＳ２１１において、前記修正データＤ３２に基づいて、前記服用データＤ２のうち薬品名「アイトロール錠２０ｍｇ」について、２０１４年７月２５日（金）の翌日である２０１４年７月２６日の指示１から服用を中止する旨の情報を登録する。より具体的に、前記制御部１１は、前記服用データＤ２（図３参照）のうち薬品名「アイトロール錠２０ｍｇ」の７月２６日の指示１から７月２６日の指示３までの服用量を「１」から「０」に変更する。
【００８２】
これにより、前記修正データＤ３２が入力された後、前記服用管理画面Ｄ１１の前記第１表示領域Ａ１１に前記服用データＤ２が表示される場合には、図１１Ｂに示されるように、薬品名「アイトロール錠２０ｍｇ」の７月２６日の指示１に「中止」と表示され、その後の７月２６日の夕までは服用がない旨が空白によって表示される。また、前記修正データＤ３２で指示された中止開始時期となる７月２６日の指示１の表示欄は前述したように前記特定色で他の表示欄とは識別可能な態様で表示され、前記表示欄の選択によって前記修正データＤ３２の内容が表示される。
【００８３】
＜ステップＳ２２＞
ステップＳ２２において、前記制御部１１は、前記修正データに示されている前記服用データＤ２の修正内容が服用の中断であるか否かが判断される。ここで、前記制御部１１は、前記修正内容が服用の中断であると判断すると（Ｓ２２：Ｙｅｓ）、処理をステップＳ２３に移行させ、前記修正内容が服用の中断でないと判断すると（Ｓ２２：Ｎｏ）、処理を前記ステップＳ２２１に移行させる。
【００８４】
具体的に、前記制御部１１は、前記修正データの前記処方区分が「服用中断」である場合に前記修正内容が服用の中断であると判断する。ここに、図１２Ａは、前記修正データの一例である修正データＤ３３を示す図である。前記修正データＤ３３では、前記処方区分が「服用中断」であり、前記修正データＤ３３による修正対象となる薬品を特定するための情報として、薬品名が「アーチスト錠２０ｍｇ」であり、用法及び用量が「朝・昼・夕食後の１日３回各１錠ずつの合計３錠が２０１４年７月２３日（水）から４日分」であることが示されている。そして、前記修正データＤ３３には、２０１４年７月２５日（金）の昼、夕の薬品名「アーチスト錠２０ｍｇ」の服用を中止する旨の情報が含まれている。
【００８５】
＜ステップＳ２２１＞
前記修正データに示される修正内容が服用の中止又は中断でない場合には、続くステップＳ２２１において、前記制御部１１は、前記修正データの修正内容に応じて前記服用データＤ２を更新するための処理を実行する。例えば、前記修正データが前記服用データにおける特定の薬品のデータを薬品単位で削除する旨のデータである場合には、前記特定の薬品のデータが前記服用データから削除される。なお、前記修正データにより前記服用データにおける特定の薬品のデータをレシピ（用法）単位で削除する旨のデータである場合にも、前記特定の薬品のデータが前記服用データから削除される。また、前述したように、前記ステップＳ２２１においても、前記ステップＳ２１１と同様に前記更新の有無の判定が行われる。
【００８６】
＜ステップＳ２３＞
ステップＳ２３において、前記制御部１１は、前記服用データに含まれる薬品の服用予定のうち前記修正データで指定される服用時期の服用を中断に変更するための処理を実行する。なお、前述したように、前記ステップＳ２３においても、前記ステップＳ２１１と同様に前記更新の有無の判定が行われる。
【００８７】
ここに、図１２Ａは、前記修正データの一例である修正データＤ３３を示す図である。図１２Ｂは、前記修正データＤ３３が入力された場合の前記服用データＤ２の更新結果として、前記服用管理画面Ｄ１１の前記第１表示領域Ａ１１の表示例を示す図である。図１２Ａに示されているように、前記修正データＤ３３では、前記処方区分が「服用中断」であり、前記修正データＤ３３による修正対象となる薬品を特定するための情報として、薬品名が「アーチスト錠２０ｍｇ」であり、用法及び用量が「朝・昼・夕食後の１日３回各１錠ずつの合計３錠が２０１４年７月２３日（水）から４日分」であることが示されている。そして、前記修正データＤ３３には、２０１４年７月２５日（金）の昼、夕の薬品名「アーチスト錠２０ｍｇ」の服用を中断する旨の情報が含まれている。
【００８８】
そして、前記修正データＤ３３が入力された場合、前記ステップＳ２３において、前記制御部１１は、前記修正データＤ３３に基づいて、前記服用データＤ２のうち薬品名「アーチスト錠２０ｍｇ」について、２０１４年７月２５日（金）の昼、夕の服用を中断する旨の情報を登録する。より具体的に、前記制御部１１は、前記服用データＤ２（図３参照）のうち薬品名「アーチスト錠２０ｍｇ」の７月２５日の昼、夕の服用量を「１」から「０」に変更する。
【００８９】
これにより、前記修正データＤ３３が入力された後、前記服用管理画面Ｄ１１の前記第１表示領域Ａ１１に前記服用データＤ２が表示される場合には、図１２Ｂに示されるように、薬品名「アーチスト錠２０ｍｇ」の７月２５日の昼、夕に「中断」と表示される。また、前記修正データＤ３３で指示された中断対象となる７月２５日の昼、夕の表示欄は前述したように前記特定色で他の表示欄とは識別可能な態様で表示され、前記表示欄の選択によって前記修正データＤ３３の内容が表示される。
【００９０】
＜ステップＳ２４＞
ステップＳ２４において、前記制御部１１は、前記修正データに示されている修正内容に服用の延長が含まれるか否かが判断される。具体的に、前記制御部１１は、前記修正データの前記処方区分が「服用中断」であり、前記修正データに延長コメントが含まれる場合に前記修正内容に服用の延長が含まれると判断する。ここで、前記制御部１１は、前記修正内容に服用の延長が含まれると判断すると（Ｓ２４：Ｙｅｓ）、処理をステップＳ２５に移行させ、前記修正内容に服用の延長が含まれないと判断すると（Ｓ２４：Ｎｏ）、当該服用データ更新処理を終了する。
【００９１】
＜ステップＳ２５＞
ステップＳ２５において、前記制御部１１は、前記服用データＤ２に含まれる薬品の服用予定のうち前記修正データで指定される服用時期の服用を延長するための処理を実行する。
【００９２】
ここに、図１３Ａは、前記修正データの一例である修正データＤ３４を示す図である。図１３Ｂは、前記修正データＤ３４が入力された場合の前記服用データＤ２の更新結果として、前記服用管理画面Ｄ１１の前記第１表示領域Ａ１１の表示例を示す図である。図１３Ａに示されているように、前記修正データＤ３４では、前記修正データＤ３３に加えて、前記薬品の服用を２０１４年７月２７日（日）の夕まで延長する旨の延長コメントが含まれている。そのため、前記制御部１１は、前記修正データＤ３４が入力された場合には、前記ステップＳ２５において、前記修正データＤ３４に基づいて、前記服用データＤ２のうち薬品名「アーチスト錠２０ｍｇ」について、２０１４年７月２７日（日）の夕まで服用を延長する旨の情報を登録する。より具体的に、前記制御部１１は、前記服用データＤ２（図３参照）のうち薬品名「アーチスト錠２０ｍｇ」の７月２７日の昼及び７月２７日の夕の服用量を「１」に設定する。
【００９３】
これにより、前記修正データＤ３４が入力された後、前記服用管理画面Ｄ１１の前記第１表示領域Ａ１１に前記服用データＤ２が表示される場合には、図１３Ｂに示されるように、薬品名「アーチスト錠２０ｍｇ」の７月２７日の昼及び７月２７日の夕の表示欄に服用ありを示す「○」が表示される。また、前記修正データＤ３４で指示された延長対象となる７月２７日の昼及び７月２７日の夕の表示欄は前述したように前記特定色で他の表示欄とは識別可能な態様で表示され、前記表示欄の選択によって前記修正データＤ３４の内容が表示される。
【００９４】
また、図１４Ａは、前記修正データＤ３４とは異なる前記修正データの他の例である修正データＤ３５を示す図である。図１４Ｂは、前前記修正データＤ３５が入力された場合の前記服用データＤ２の更新結果として、前記服用管理画面Ｄ１１の前記第１表示領域Ａ１１の表示例を示す図である。図１４Ａに示されているように、前記修正データＤ３５では、前記修正データＤ３５による修正対象となる薬品を特定するための情報として、薬品名が「アクトス錠３０」であり、用法及び用量が「朝・昼・夕食後の１日３回各１錠ずつの合計３錠が２０１４年７月２３日（水）から２日分」、「月・水・金曜日服用」であることが示されている。そして、前記修正データＤ３５には、２０１４年７月２５日（金）の朝、昼、夕の薬品名「アクトス錠３０」の服用を中断する旨の情報が含まれている。さらに、前記修正データＤ３５には、薬品名「アクトス錠３０」の服用を２０１４年７月３０日（水）の朝まで延長する旨の情報が含まれている。
【００９５】
そして、前記修正データＤ３５が入力された場合、前記ステップＳ２３において、前記制御部１１は、前記修正データＤ３５に基づいて、前記服用データＤ２のうち薬品名「アクトス錠３０」について、２０１４年７月２５日（金）の朝、昼、夕の服用を中断する旨の情報を登録する。また、前記ステップＳ２５において、前記制御部１１は、前記修正データＤ３５に基づいて、前記服用データＤ２のうち薬品名「アクトス錠３０」について２０１４年７月３０日（水）の朝まで服用を延長する旨の情報を登録する。より具体的に、前記制御部１１は、前記服用データＤ２（図３参照）のうち薬品名「アクトス錠３０」の７月２８日の昼、夕及び７月３０日の朝の服用量を「１」に設定する。
【００９６】
これにより、前記修正データＤ３５が入力された後、前記服用管理画面Ｄ１１の前記第１表示領域Ａ１１に前記服用データＤ２が表示される場合には、図１４Ｂに示されるように、薬品名「アクトス錠３０」の７月２５日の朝食後、昼食後、夕食後に「中断」と表示され、７月２８日（月）の昼食後、夕食後、７月３０日（水）の朝の表示欄に服用ありを示す「○」が表示される。
【００９７】
ところで、前記上位システム６では、前記修正データによる修正対象の服用時期が二日以上に亘る場合には、図１５Ａに示されるように、各服用日ごとに対応する修正データＤ３６、Ｄ３７が発行されることがある。例えば、図１５Ａに示される例では、前記修正データＤ３６に、薬品名「アーチスト錠２０ｍｇ」の７月２５日（金）の昼の服用時期について服用を中断する旨の情報が含まれている。一方、前記修正データＤ３７に、薬品名「アーチスト錠２０ｍｇ」の７月２６日（土）の昼の服用時期について服用を中断する旨の情報が含まれている。
【００９８】
この場合、前記制御部１１は、前記修正データＤ３６、Ｄ３７各々に基づいて前記服用データＤ２を修正するための処理を実行する。具体的に、前記修正データＤ３６、Ｄ３７が入力された場合には、前記修正データＤ３６に基づいて薬品名「アーチスト錠２０ｍｇ」の７月２５日（金）の昼の服用時期について服用を中断する旨の情報が登録され、前記修正データＤ３７に基づいて薬品名「アーチスト錠２０ｍｇ」の７月２６日（土）の昼の服用時期について服用を中断する旨の情報が登録される。
【００９９】
さらに、前記修正データによる修正対象の服用時期が二日以上に亘っており、且つ服用の延長が行われる場合にも、図１６Ａに示されるように、各服用日ごとに対応する修正データＤ３８、Ｄ３９が発行されることがある。図１６Ａに示される例では、前記修正データＤ３８には、前記修正データＤ３６に加えて、薬品名「アーチスト錠２０ｍｇ」について７月２７日（日）の夕の服用時期まで服用を延長する旨の情報が含まれている。また、前記修正データＤ３９にも、前記修正データＤ３７に加えて、薬品名「アーチスト錠２０ｍｇ」について７月２７日（日）の夕の服用時期まで服用を延長する旨の情報が含まれている。
【０１００】
この場合、前記制御部１１は、前記修正データＤ３８、Ｄ３９各々に基づいて前記服用データＤ２を修正するための処理を実行する。ここに、図１７Ａ及び図１７Ｂは、前記服用データＤ２のうち薬品名「アーチスト錠２０ｍｇ」のデータが前記修正データＤ３８及びＤ３９に基づいて修正される過程の一例を示す図である。ここでは、前記制御部１１が、前記処方データで指定される薬品ごとの最終の服用時期を前記服用データに対応付けて前記データ記憶部１２３に記憶しているものとする。
【０１０１】
前記修正データＤ３８、Ｄ３９がこの順で受信されると、前記制御部１１は、まず前記修正データＤ３８に基づいて、図１７Ａに示されるように、薬品名「アーチスト錠２０ｍｇ」の７月２５日（金）の昼の服用時期に対応する服用量を「１」から「０」に変更して服用を中断する旨の情報を登録する。また、前記制御部１１は、薬品名「アーチスト錠２０ｍｇ」の前記最終の服用時期であった７月２７日（日）の朝より後で服用がなしに設定されている服用時期を特定する。そして、前記制御部１１は、前記特定された服用時期に対応する服用量を「１」に変更して服用を追加する旨の情報を登録する。ここでは、７月２７日（日）の昼の服用時期が服用なしに設定されているため、その７月２７日（日）の昼の服用時期に対応する服用量が「１」に変更される。
【０１０２】
続いて、前記制御部１１は、前記修正データＤ３９に基づいて、図１７Ｂに示されるように、薬品名「アーチスト錠２０ｍｇ」の７月２６日（土）の昼の服用時期に対応する服用量を「１」から「０」に変更して服用を中断する旨の情報を登録する。また、前記制御部１１は、薬品名「アーチスト錠２０ｍｇ」の前記修正データＤ３８で示された延長の最終の服用時期である７月２７日（日）の昼より後で服用がなしに設定されている服用時期を特定する。そして、前記制御部１１は、前記特定された服用時期に対応する服用量を「１」に変更して服用を追加する旨の情報を登録する。ここでは、７月２７日（日）の夕の服用時期が服用なしに設定されているため、その７月２７日（日）の夕の服用時期に対応する服用量が「１」に変更される。
【０１０３】
このように前記修正データＤ３８、Ｄ３９に基づいて前記服用データＤ２が更新されることにより、仮に前記修正データＤ３９、Ｄ３８の順で受信した場合、又は前記処方データで指定される最終の服用時期が以前に中止又は中断されている場合であっても、前記制御部１１は、前記修正データＤ３８、Ｄ３９に基づいて前記服用データＤ２を正しく修正することが可能である。
【０１０４】
また、図１８Ａ及び図１８Ｂは、前記修正データＤ３８、Ｄ３９が前記服用データＤ２のうち薬品名「アーチスト錠２０ｍｇ」のデータが前記修正データＤ３８及びＤ３９に基づいて修正される過程の他の例を示す図である。ここでは、前記制御部１１が、薬品ごとの最終の服用時期を前記服用データに対応付けて前記データ記憶部１２３に記憶していなくてもよい。
【０１０５】
前記制御部１１は、まず前記修正データＤ３８に基づいて、図１８Ａに示されるように、薬品名「アーチスト錠２０ｍｇ」の７月２５日（金）の昼の服用時期に対応する服用量を「１」から「０」に変更して服用を中断する旨の情報を登録する。また、前記制御部１１は、薬品名「アーチスト錠２０ｍｇ」の前記修正データＤ３８で示された延長の最終の服用時期である７月２７日（日）の夕の服用時期から順に遡って服用がなしに設定されている服用時期を特定する。そして、前記制御部１１は、前記特定された服用時期に対応する服用量を「１」に変更して服用を追加する旨の情報を登録する。ここでは、７月２７日（日）の夕の服用時期が服用なしに設定されているため、その７月２７日（日）の夕の服用時期に対応する服用量が「１」に変更される。
【０１０６】
続いて、前記制御部１１は、前記修正データＤ３９に基づいて、図１８Ｂに示されるように、薬品名「アーチスト錠２０ｍｇ」の７月２６日（土）の昼の服用時期に対応する服用量を「１」から「０」に変更して服用を中断する旨の情報を登録する。また、前記制御部１１は、薬品名「アーチスト錠２０ｍｇ」の前記修正データＤ３８で示された延長の最終の服用時期である７月２７日（日）の夕の服用時期から順に遡って服用がなしに設定されている服用時期を特定する。そして、前記制御部１１は、前記特定された服用時期に対応する服用量を「１」に変更して服用を追加する旨の情報を登録する。ここでは、７月２７日（日）の昼の服用時期が服用なしに設定されているため、その７月２７日（日）の昼の服用時期に対応する服用量が「１」に変更される。
【０１０７】
このように前記修正データＤ３８、Ｄ３９に基づいて前記服用データＤ２が更新されることにより、仮に前記修正データＤ３９、Ｄ３８の順で受信した場合、又は前記処方データで指定される最終の服用時期が以前に中止又は中断されている場合であっても、前記制御部１１は、前記修正データＤ３８、Ｄ３９に基づいて前記服用データＤ２を正しく修正することが可能である。
【符号の説明】
【０１０８】
１  ：サーバー
１１：制御部
１２：記憶部
１３：通信Ｉ／Ｆ
１４：操作装置
１５：表示装置
１６：ドライブ装置
２  ：クライアント端末
２１：制御部
２２：記憶部
２３：通信Ｉ／Ｆ
２４：操作装置
２５：表示装置
２６：ドライブ装置
３  ：調剤機器
４  ：プリンター
５  ：通信網
６  ：上位システム
１０：調剤支援システム
【図１】
2017033107.tif 000003
【図２】
2017033107.tif 000004
【図３】
2017033107.tif 000005
【図４】
2017033107.tif 000006
【図５】
2017033107.tif 000007
【図６】
2017033107.tif 000008
【図７】
2017033107.tif 000009
【図８】
2017033107.tif 000010
【図９】
2017033107.tif 000011
【図１０Ａ】
2017033107.tif 000012
【図１０Ｂ】
2017033107.tif 000013
【図１１Ａ】
2017033107.tif 000014
【図１１Ｂ】
2017033107.tif 000015
【図１２Ａ】
2017033107.tif 000016
【図１２Ｂ】
2017033107.tif 000017
【図１３Ａ】
2017033107.tif 000018
【図１３Ｂ】
2017033107.tif 000019
【図１４Ａ】
2017033107.tif 000020
【図１４Ｂ】
2017033107.tif 000021
【図１５Ａ】
2017033107.tif 000022
【図１５Ｂ】
2017033107.tif 000023
【図１６Ａ】
2017033107.tif 000024
【図１６Ｂ】
2017033107.tif 000025
【図１７Ａ】
2017033107.tif 000026
【図１７Ｂ】
2017033107.tif 000027
【図１８Ａ】
2017033107.tif 000028
【図１８Ｂ】
2017033107.tif 000029